【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
ユーザ機器が基地局から伝送された信号を受信する方法であって、前記方法は、
前記基地局から、伝送アンテナの数についての情報を受信することと、
前記基地局が、行列を用いることによるプリコーディングを介して信号を伝送するという仮定に基づいて、信号を受信することと
を含み、前記基地局の伝送モードが、循環遅延ダイバーシティ（ＣＤＤ）方式に対するモードであり、かつ、伝送アンテナの数が２である場合に、前記行列は、ＷＤＵの形式で生成され得、前記ＷＤＵの形式において、恒等行列（Ｉ）に対応する第１の行列（Ｗ）、対角行列に対応する第２の行列（Ｄ）、および、ユニタリ行列に対応する第３の行列（Ｕ）が順次掛け算される、方法。
【請求項２】
伝送ランクが１より大きい場合に、前記ＣＤＤ方式に対するモードとして、前記基地局の伝送モードを決定することをさらに含む、請求項１に記載の方法。
【請求項３】
前記伝送アンテナの数が２、かつ、伝送ランクが２である場合に、前記第２の行列（Ｄ）は、２×２行列である、請求項１に記載の方法。
【請求項４】
前記ＵＥは、前記ＣＤＤ方式に対するモードを用いる前記基地局が、第１の行列を
【数１５】
2011518458.tif 000001
として固定して使用すると仮定し、前記ユーザ機器は前記基地局にプリコーディング行列インデックス（ＰＭＩ）をフィードバックしない、請求項１に記載の方法。
【請求項５】
前記基地局の前記伝送モードは、空間多重化モードおよび伝送ダイバーシティモードを含み、
前記空間多重化モードは、前記ＣＤＤ方式を用いるモードと、前記ＣＤＤ方式を用いないモードとを含む、請求項１に記載の方法。
【請求項６】
基地局がユーザ機器に信号する方法であって、前記方法は、
行列を用いることによって伝送信号のプリコーディングを行うことであって、前記基地局の伝送モードが、循環遅延ダイバーシティ（ＣＤＤ）方式に対するモードであり、かつ、伝送アンテナの数が２である場合に、前記行列は、ＷＤＵの形式で生成され得、前記ＷＤＵの形式において、恒等行列（Ｉ）に対応する第１の行列（Ｗ）、対角行列に対応する第２の行列（Ｄ）、および、ユニタリ行列に対応する第３の行列（Ｕ）が順次掛け算される、ことと、
前記プリコーディングされた信号を資源要素にマッピングすることと、
前記マッピングされた信号を前記ＵＥに伝送することと
を含む、方法。
【請求項７】
前記伝送アンテナの数が２、かつ、伝送ランクが２である場合に、前記第２の行列（Ｄ）は、２×２行列である、請求項６に記載の方法。
【請求項８】
前記ＣＤＤ方式に対するモードを用いる前記基地局が、第１の行列を
【数１６】
2011518458.tif 000002
として使用し、プリコーディング行列インデックスは、前記ユーザ機器から前記基地局にフィードバックされない、請求項６に記載の方法。
【請求項９】
基地局から伝送された信号を受信するユーザ機器（ＵＥ）であって、前記ＵＥは、
前記基地局から、伝送アンテナの数についての情報を受信するように構成される受信機と、
前記基地局が、行列を用いることによるプリコーディングを介して信号を伝送するという仮定に基づいて、信号を受信するように前記受信機を制御するように構成されるプロセッサと
を含み、前記基地局の伝送モードが、循環遅延ダイバーシティ（ＣＤＤ）方式に対するモードであり、かつ、伝送アンテナの数が２である場合に、前記行列は、ＷＤＵの形式で生成され得、前記ＷＤＵの形式において、恒等行列（Ｉ）に対応する第１の行列（Ｗ）、対角行列に対応する第２の行列（Ｄ）、および、ユニタリ行列に対応する第３の行列（Ｕ）が順次掛け算される、ＵＥ。
【請求項１０】
前記プロセッサは、多重アンテナデコーダ、直列並列変換器、デマッパおよびチャネルでコーダのうちの少なくとも１つを含む、請求項９に記載のＵＥ。
【請求項１１】
前記プロセッサは、伝送ランクが１より大きい場合に、前記ＣＤＤ方式に対するモードとして、前記基地局の伝送モードを決定するようにさらに構成される、請求項９に記載のＵＥ。
【請求項１２】
前記伝送アンテナの数が２、かつ、伝送ランクが２である場合に、前記第２の行列（Ｄ）は、２×２行列である、請求項９に記載のＵＥ。
【請求項１３】
前記プロセッサは、前記ＣＤＤ方式に対するモードを用いる前記基地局が、第１の行列を
【数１７】
2011518458.tif 000003
として固定して使用すると仮定し、前記ユーザ機器は前記基地局にプリコーディング行列インデックス（ＰＭＩ）をフィードバックしない、請求項９に記載のＵＥ。
【請求項１４】
前記基地局の前記伝送モードは、空間多重化モードおよび伝送ダイバーシティモードを含み、
前記空間多重化モードは、前記ＣＤＤ方式を用いるモードと、前記ＣＤＤ方式を用いないモードとを含む、請求項９に記載のＵＥ。
【請求項１５】
ユーザ機器（ＵＥ）に信号を転送する基地局であって、前記基地局は、
行列を用いることによって伝送信号のプリコーディングを行うように構成されたプリコーダであって、前記基地局の伝送モードが、循環遅延ダイバーシティ（ＣＤＤ）方式に対するモードであり、かつ、伝送アンテナの数が２である場合に、前記行列は、ＷＤＵの形式で生成され得、前記ＷＤＵの形式において、恒等行列（Ｉ）に対応する第１の行列（Ｗ）、対角行列に対応する第２の行列（Ｄ）、および、ユニタリ行列に対応する第３の行列（Ｕ）が順次掛け算される、プリコーダと、
前記プリコーディングされた信号を資源要素にマッピングするように構成された資源要素マッパと、
前記資源マッピングされた信号を前記ＵＥに伝送するように構成された送信機と
を含む、基地局。
【請求項１６】
前記伝送アンテナの数が２、かつ、伝送ランクが２である場合に、前記第２の行列（Ｄ）は、２×２行列である、請求項１５に記載の基地局。
【請求項１７】
前記ＣＤＤ方式に対するモードを用いる前記基地局が、第１の行列を
【数１８】
2011518458.tif 000004
として使用し、プリコーディング行列インデックスは、前記ユーザ機器から前記基地局にフィードバックされない、請求項１５に記載の基地局。
【手続補正２】
【補正対象書類名】明細書
【補正対象項目名】００２５
【補正方法】変更
【補正の内容】
【００２５】
一方、上述した各実施形態は、開ループ空間多重化伝送モードで基地局が信号を伝送するにおいて、伝送アンテナの個数が２で、伝送ランクが２である場合、循環遅延ダイバーシティ（ＣＤＤ）方式によって伝送信号をプリコーディングし、対角行列に対応する第１の行列（Ｄ）とユニタリ行列に対応する第２の行列（Ｕ）が順次掛け算された行列（ＤＵ）によってプリコーディングを行い、プリコーディングされた信号を資源要素にマッピングして伝送することもできる。
例えば、本発明は以下の項目を提供する。
（項目１）
開ループ空間多重化（ｏｐｅｎ―ｌｏｏｐ  ＳＭ（ｓｐａｔｉａｌ  ｍｕｌｔｉｐｌｅｘｉｎｇ））伝送モードでユーザ器機（Ｕｓｅｒ  Ｅｑｕｉｐｍｅｎｔ；ＵＥ）が信号を受信する方法において、
基地局からランク指示子（ＲＩ）及びアンテナ個数情報を受信し、
伝送アンテナの個数が２である場合、上記基地局の信号伝送が、単位行列に対応する第１の行列（Ｗ）、対角行列に対応する第２の行列（Ｄ）及びユニタリ行列に対応する第３の行列（Ｕ）が順次に掛け算された行列（ＷＤＵ）によるプリコーディングを経て行われたと推定し、
上記推定によって信号を受信することを含む、信号受信方法。
（項目２）
上記ランク指示子が１より大きい場合、上記基地局の信号伝送が循環遅延ダイバーシティ（ＣＤＤ）方式によって行われたと推定することをさらに含む、項目１に記載の信号受信方法。
（項目３）
上記第２の行列（Ｄ）は、
上記伝送アンテナの個数が２で、ランク指示子（ＲＩ）によるランクが２である場合、２×２の形態を有する、項目１に記載の信号受信方法。
（項目４）
上記開ループ空間多重化（ｏｐｅｎ―ｌｏｏｐ  ＳＭ）伝送モードで、上記基地局は、上記第１の行列（Ｗ）を、
【化３０】
2011518458.tif 000005
に固定して使用し、
上記ユーザ機器は、上記基地局にプリコーディング行列インデックス（ＰＭＩ）をフィードバックしない、項目１に記載の信号受信方法。
（項目５）
開ループ空間多重化（ｏｐｅｎ―ｌｏｏｐ  ＳＭ（ｓｐａｔｉａｌ  ｍｕｌｔｉｐｌｅｘｉｎｇ））伝送モードで基地局が信号を伝送する方法において、
伝送ランクが１より大きい場合、循環遅延ダイバーシティ（ＣＤＤ）方式によって信号を伝送することを含み、
上記信号伝送は、
伝送アンテナの個数が２である場合、伝送信号に、単位行列に対応する第１の行列（Ｗ）、対角行列に対応する第２の行列（Ｄ）及びユニタリ行列に対応する第３の行列（Ｕ）が順次に掛け算された行列（ＷＤＵ）によるプリコーディングを行い、
上記プリコーディングされた信号を資源要素にマッピングして伝送することを含む、信号伝送方法。
（項目６）
上記第２の行列（Ｄ）は、
上記伝送アンテナの個数が２で、上記伝送ランクが２である場合、２×２の形態を有する、項目５に記載の信号伝送方法。
（項目７）
上記開ループ空間多重化（ｏｐｅｎ―ｌｏｏｐ  ＳＭ）伝送モードで、上記基地局は、上記第１の行列（Ｗ）を、
【化３１】
2011518458.tif 000006
に固定して使用し、
上記基地局にユーザ器機からプリコーディング行列インデックス（ＰＭＩ）がフィードバックされない、項目５に記載の信号伝送方法。
（項目８）
開ループ空間多重化（ｏｐｅｎ―ｌｏｏｐ  ＳＭ（ｓｐａｔｉａｌ  ｍｕｌｔｉｐｌｅｘｉｎｇ））伝送モードで基地局が信号を伝送する方法において、
伝送アンテナの個数が２で、伝送ランクが２である場合、循環遅延ダイバーシティ（ＣＤＤ）方式によって伝送信号をプリコーディングし、対角行列に対応する第１の行列（Ｄ）とユニタリ行列に対応する第２の行列（Ｕ）が順次掛け算された行列（ＤＵ）によってプリコーディングを行い、
上記プリコーディングされた信号を資源要素にマッピングして伝送することを含む、信号伝送方法。